(57)【要約】【課題】移動体端末が或る領域から離れたことを契機として情報を配信する。【解決手段】情報配信サーバ装置において、判定部５１１は、移動体端末から送られてきた位置登録要求を受け付け、位置管理データベース５２２に記述された在圏端末ＩＤの中から、位置登録要求に含まれる自端末ＩＤを検索し、この自端末ＩＤを見つけた場合に、これに対応付けられている基地局ＩＤを、離圏基地局ＩＤとして特定する。特定した離圏基地局ＩＤが、狭域基地局ＩＤとして、情報テーブル５２１に記述されている場合には、判定部５１１は、その離圏基地局ＩＤに対応付けられている配信情報を配信部５１３に引き渡す。配信部５１３は、配信情報を引き渡されると、位置登録要求に含まれている在圏基地局ＩＤの無線基地局を介して位置登録要求を発した移動体端末１に対し、配信情報を配信する。【選択図】図６
2011216990.tif 000002
【特許請求の範囲】
【請求項１】
離圏時配信情報を複数の無線基地局のいずれかに対応付けて記憶する記憶手段と、
移動体端末が第１の無線基地局により形成される通信エリアから離圏したか否かを判定する判定手段と、
前記判定手段により前記移動体端末が離圏したと判定されると、当該離圏後に当該移動体端末が在圏している通信エリアを形成する第２の無線基地局を特定し、当該第２の無線基地局を介して、前記第１の無線基地局に対応付けて記憶された前記離圏時配信情報を当該移動体端末に配信する配信手段と
を具備することを特徴とする情報配信装置。
【請求項２】
或る離圏時配信情報を前記複数の無線基地局のいずれかに対応付けて記憶する旨の要求を受け付ける受付手段と、
前記受付手段により受け付けられた要求に応じて、前記記憶手段の記憶内容を更新する更新手段と
を具備することを特徴とする請求項１に記載の情報配信装置。
【請求項３】
離圏時配信情報を、複数の無線基地局のいずれかと複数の移動体端末のいずれかとの組に対応付けて記憶する記憶手段と、
移動体端末が第１の無線基地局により形成される通信エリアから離圏したか否かを判定する判定手段と、
前記判定手段により前記移動体端末が離圏したと判定されると、当該離圏後に当該移動体端末が在圏している通信エリアを形成する第２の無線基地局を特定し、当該第２の無線基地局を介して、前記第１の無線基地局と当該移動体端末との組に対応付けて記憶された前記離圏時配信情報を当該移動体端末に配信する配信手段と
を具備することを特徴とする情報配信装置。
【請求項４】
或る離圏時配信情報を前記複数の無線基地局のいずれかと前記複数の移動体端末のいずれかとの組に対応付けて記憶する旨の要求を受け付ける受付手段と、
前記受付手段により受け付けられた要求に応じて、前記記憶手段の記憶内容を更新する更新手段と
を具備することを特徴とする請求項３に記載の情報配信装置。
【請求項５】
前記受付手段は、前記要求に係る離圏時配信情報が配信される移動体端末から当該要求を受け付ける
ことを特徴とする請求項２または４に記載の情報配信装置。
【請求項６】
前記記憶手段は、前記離圏時配信情報に加えて在圏時配信情報を前記複数の無線基地局のいずれかと対応付けて記憶し、
前記判定手段は、離圏したか否かの前記判定に加え、前記第２の無線基地局が形成する通信エリアに前記移動体端末が在圏したか否かを判定し、
前記配信手段は、前記判定手段により前記移動体端末が在圏したと判定されると、当該第２の無線基地局を介して、当該第２の無線基地局に対応付けて記憶された在圏時配信情報を当該移動体端末に配信する
ことを特徴とする請求項１から５のいずれかに記載の情報配信装置。
【請求項７】
前記記憶手段は、複数の前記離圏時配信情報を前記複数の無線基地局のいずれかと対応付けて記憶し、
前記配信手段は、前記判定手段による判定の後、前記複数の離圏時配信情報のそれぞれについて予め定められた期間が経過したときに、当該離圏時配信情報を配信する
ことを特徴とする請求項１に記載の情報配信装置。
【請求項８】
前記配信手段は、前記判定手段による判定の後、予め定められた期間が経過したときに前記離圏時配信情報または前記在圏時配信情報を配信する
ことを特徴とする請求項６に記載の情報配信装置。
【請求項９】
前記期間は、前記離圏時配信情報および前記在圏時配信情報のそれぞれに対応付けて定められており、前記離圏時配信情報に対応付けて定められた期間は、前記在圏時配信情報に対応付けて定められた期間よりも短い
ことを特徴とする請求項８に記載の情報配信装置。
【請求項１０】
コンピュータに、
離圏時配信情報を複数の無線基地局のいずれかに対応付けて記憶手段に記憶させる記憶ステップと、
移動体端末が第１の無線基地局により形成される通信エリアから離圏したか否かを判定する判定ステップと、
前記判定ステップにより前記移動体端末が離圏したと判定されると、当該離圏後に当該移動体端末が在圏している通信エリアを形成する第２の無線基地局を特定し、当該第２の無線基地局を介して、前記第１の無線基地局に対応付けて記憶された前記離圏時配信情報を当該移動体端末に配信する配信ステップと
を実行させるためのプログラム。
【発明の詳細な説明】
【技術分野】
【０００１】
本発明は、移動体端末に対して行う情報配信の技術に関する。
【背景技術】
【０００２】
携帯電話機等の移動体端末を収容するセルラー型の移動通信網においては、地域を複数のセルに分割して、各セルを形成する基地局を介して通信を行う。これらのセルは半径数百ｍから数Ｋｍの範囲に亘ることが一般的であるが、山間や屋内、人口密集地帯等における通信を想定した半径数十ｍ程度の局所的なものも利用されている。
【０００３】
或る移動体端末が或るセルに在圏したときに、その移動体端末に対してそのセルが含まれる地域に関連する情報を提供することができれば、地域に密着した情報提供が可能となるので便利である。例えば、広告等の場合、地域に密着した情報提供を行うことで、広告効果の向上が見込まれる。特許文献１では、地域コードと位置関連情報とを対応付けたリクエスト信号を受信すると、地域コードに対応する基地局を特定し、その基地局を介してその基地局の無線ゾーンに在圏する移動局に上記の位置関連情報を配信するゲートウェイサーバ装置を備えた移動情報配信システムが開示されている。
【先行技術文献】
【特許文献】
【０００４】
【特許文献１】特開２００２−８４５６４号公報（段落００７０〜００７４）
【発明の概要】
【発明が解決しようとする課題】
【０００５】
ところで、上述の特許文献１では、或る移動体端末が或るセルに在圏しているときにそのセルを形成する基地局を介して情報の配信を行っている。しかし、或る移動体端末が或るセルから離れたときには、上記の基地局を介して情報の配信を行うことができない。その基地局が形成するセルから既にその移動体端末が離れているからである。
【０００６】
本発明の目的は、移動体端末が或る領域から離れたことを契機として情報を配信することにある。
【課題を解決するための手段】
【０００７】
上述した課題を解決するため、本発明に係る情報配信装置は、離圏時配信情報を複数の無線基地局のいずれかに対応付けて記憶する記憶手段と、移動体端末が第１の無線基地局により形成される通信エリアから離圏したか否かを判定する判定手段と、前記判定手段により前記移動体端末が離圏したと判定されると、当該離圏後に当該移動体端末が在圏している通信エリアを形成する第２の無線基地局を特定し、当該第２の無線基地局を介して、前記第１の無線基地局に対応付けて記憶された前記離圏時配信情報を当該移動体端末に配信する配信手段とを具備することを特徴とする。
【０００８】
好ましくは、或る離圏時配信情報を前記複数の無線基地局のいずれかに対応付けて記憶する旨の要求を受け付ける受付手段と、前記受付手段により受け付けられた要求に応じて、前記記憶手段の記憶内容を更新する更新手段とを具備するとよい。
【０００９】
また、本発明に係る情報配信装置は、離圏時配信情報を、複数の無線基地局のいずれかと複数の移動体端末のいずれかとの組に対応付けて記憶する記憶手段と、移動体端末が第１の無線基地局により形成される通信エリアから離圏したか否かを判定する判定手段と、前記判定手段により前記移動体端末が離圏したと判定されると、当該離圏後に当該移動体端末が在圏している通信エリアを形成する第２の無線基地局を特定し、当該第２の無線基地局を介して、前記第１の無線基地局と当該移動体端末との組に対応付けて記憶された前記離圏時配信情報を当該移動体端末に配信する配信手段とを具備することを特徴とする。
【００１０】
好ましくは、或る離圏時配信情報を前記複数の無線基地局のいずれかと前記複数の移動体端末のいずれかとの組に対応付けて記憶する旨の要求を受け付ける受付手段と、前記受付手段により受け付けられた要求に応じて、前記記憶手段の記憶内容を更新する更新手段とを具備するとよい。
【００１１】
また、好ましくは、前記受付手段は、前記要求に係る離圏時配信情報が配信される移動体端末から当該要求を受け付けるとよい。
【００１２】
また、好ましくは、前記記憶手段は、前記離圏時配信情報に加えて在圏時配信情報を前記複数の無線基地局のいずれかと対応付けて記憶し、前記判定手段は、離圏したか否かの前記判定に加え、前記第２の無線基地局が形成する通信エリアに前記移動体端末が在圏したか否かを判定し、前記配信手段は、前記判定手段により前記移動体端末が在圏したと判定されると、当該第２の無線基地局を介して、当該第２の無線基地局に対応付けて記憶された在圏時配信情報を当該移動体端末に配信するとよい。
【００１３】
また、好ましくは、前記記憶手段は、複数の前記離圏時配信情報を前記複数の無線基地局のいずれかと対応付けて記憶し、前記配信手段は、前記判定手段による判定の後、前記複数の離圏時配信情報のそれぞれについて予め定められた期間が経過したときに、当該離圏時配信情報を配信するとよい。
【００１４】
また、好ましくは、前記配信手段は、前記判定手段による判定の後、予め定められた期間が経過したときに前記離圏時配信情報または前記在圏時配信情報を配信するとよい。
【００１５】
また、好ましくは、前記期間は、前記離圏時配信情報および前記在圏時配信情報のそれぞれに対応付けて定められており、前記離圏時配信情報に対応付けて定められた期間は、前記在圏時配信情報に対応付けて定められた期間よりも短いとよい。
【００１６】
また、本発明に係るプログラムは、コンピュータに、離圏時配信情報を複数の無線基地局のいずれかに対応付けて記憶手段に記憶させる記憶ステップと、移動体端末が第１の無線基地局により形成される通信エリアから離圏したか否かを判定する判定ステップと、前記判定ステップにより前記移動体端末が離圏したと判定されると、当該離圏後に当該移動体端末が在圏している通信エリアを形成する第２の無線基地局を特定し、当該第２の無線基地局を介して、前記第１の無線基地局に対応付けて記憶された前記離圏時配信情報を当該移動体端末に配信する配信ステップとを実行させるためのプログラムである。
【発明の効果】
【００１７】
本発明によれば、移動体端末が或る領域から離れたことを契機として情報を配信することができる。
【図面の簡単な説明】
【００１８】
【図１】本実施形態に係る情報配信システムの全体構成を示す概略図である。
【図２】移動体端末の構成を示す図である。
【図３】情報配信サーバ装置の構成を示すブロック図である。
【図４】情報テーブルの一例を示す図である。
【図５】位置管理データベースの一例を示す図である。
【図６】情報配信サーバ装置の制御部の機能的構成を示すブロック図である。
【図７】本実施形態の動作を示すシーケンス図である。
【発明を実施するための形態】
【００１９】
以下、本発明を実施するための形態について説明する。
１．構成
１−１．全体構成
図１は、本実施形態に係る情報配信システム９の全体構成を示す概略図である。
移動体通信網４は、例えばＩＭＴ−２０００に準拠し、通信方式としてＷ−ＣＤＭＡ（Wideband-Code Division Multiple Access）を用いる通信網である。移動体通信網４は、携帯電話機等の移動体端末１ａ，１ｂ，１ｃ，・・・（以下、特に区別の必要がない場合は、これらを総称して「移動体端末１」と記す）と無線通信を行う複数の無線基地局や、図示せぬ交換機などを有している。この無線基地局として、広域基地局２ａ，２ｂ，２ｃ，・・・（以下、特に区別の必要がない場合は、これらを総称して「広域基地局２」と記す）と狭域基地局３ａ，３ｂ，３ｃ，・・・（以下、特に区別の必要がない場合は、これらを総称して「狭域基地局３」と記す）という、２種類のものがある。
【００２０】
無線基地局から電波が到達する範囲を無線ゾーンという。複数の無線基地局の配置によっては、２つ以上の無線基地局から電波が到達する範囲が存在し得る。移動体端末１は、自身が受け取る電波のうち最も強い電波を検知して、その電波を発する無線基地局を介して通信を行う。したがって、以下の説明において、或る無線基地局を介して移動体端末１が通信を行うことが可能な範囲、すなわちその無線基地局がカバーする範囲を「通信エリア」と呼ぶとすると、この通信エリアは、上述した無線ゾーンのうち、他のどの無線基地局よりもその無線基地局の電波が強い範囲である。以下の説明において、或る移動体端末１が或る通信エリアの中に在ることを、その通信エリアに「在圏」する、といい、或る移動体端末１が或る通信エリアの外に出ることを、その通信エリアから「離圏」する、という。
【００２１】
広域基地局２は、マクロセルと呼ばれる半径数百ｍから数Ｋｍの範囲に亘る通信エリアを有する。狭域基地局３は、広域基地局２と比較して狭い、フェムトセルと呼ばれる通信エリアを有する。このフェムトセルの大きさは、例えば半径数ｍから数十ｍの範囲である。
【００２２】
情報配信サーバ装置５は、移動体通信網４およびインターネット等のネットワーク６に接続されている。情報配信サーバ装置５は、移動体通信網４を介して情報を配信する装置である。情報配信依頼端末７ａ，７ｂ，７ｃ，・・・（以下、特に区別の必要がない場合は、これらを総称して「情報配信依頼端末７」と記す）は、ネットワーク６にそれぞれ接続されており、ネットワーク６を介して情報配信サーバ装置５に対して情報配信を依頼する。具体的には、情報配信依頼端末７は、特定の移動体端末１が特定の狭域基地局３のフェムトセルから離圏したときにその移動体端末１に向けて配信する情報（以下、配信情報という）を、この特定の移動体端末１の識別情報、およびこの特定の狭域基地局３の識別情報と対応付けて記憶している。そして、情報配信依頼端末７は、例えば情報配信依頼端末７の図示しない操作部をその利用者が操作したとき等に、上記の移動体端末１の識別情報、狭域基地局３の識別情報、およびこれらに対応付けられた配信情報の組を“情報配信依頼要求”として情報配信サーバ装置５へ送信する。
【００２３】
１−２．移動体端末の構成
以下、情報配信システム９に含まれる移動体端末１の構成について説明する。
図２は、この移動体端末１の構成を示す図である。ＣＰＵ（Central Processing Unit）を備えた制御部１１は、例えば、記憶部１２に記憶されているコンピュータプログラムを読み出して実行することにより移動体端末１の各部を制御する。
【００２４】
記憶部１２はＥＥＰＲＯＭ（Electrically Erasable Programmable Read Only Memory）等の不揮発性の記憶手段であり、制御部１１に読み込まれるコンピュータプログラムを記憶する。また、記憶部１２は、移動体端末１自身（以下、自端末という）を識別する識別情報（以下、自端末ＩＤ（Identification）という）を記憶する領域である自端末ＩＤ記憶領域１２１と、自端末が在圏している通信エリアを形成する無線基地局（以下、在圏基地局という）のＩＤ（以下、在圏基地局ＩＤという）を記憶する領域である在圏基地局ＩＤ記憶領域１２２とを有する。
制御部１１は、記憶部１２に記憶された自端末ＩＤと在圏基地局ＩＤとを利用して、自端末が在圏している通信エリアを登録するための位置登録要求を、第１通信部５３を介して情報配信サーバ装置５に送信する。この位置登録要求は、自端末ＩＤと在圏基地局ＩＤとの対を含む情報である。
【００２５】
なお、自端末が在圏している通信エリアとは、自端末が受け取る電波のうち最も強い電波を発する無線基地局の通信エリアを意味する。また、記憶部１２は、外付けの不揮発性メモリなどの記録媒体であってもよい。この場合、図示しない接続インターフェイスなどを介して記憶部１２が自端末に接続されている。
【００２６】
操作部１３は、各種の指示を入力するためのタッチパネルや操作ボタン等を備えており、ユーザによる操作を受け付けてその操作内容に応じた信号を制御部１１に供給する。表示部１４は、液晶ディスプレイなどの表示デバイスであり、制御部１１の制御により、表示画面１４１に画像を表示する。表示画面１４１に表示される画像は、操作に応じた表示やメニュー表示、および情報配信サーバ装置５から配信される文書や写真等といった種々の情報を表す画像である。
【００２７】
音声処理部１５は、マイクロフォン、スピーカ、およびＤＳＰ（Digital Signal Processor）などの音声処理回路を有し、マイクロフォンによる収音内容を示す収音信号を音声処理回路により生成して出力するとともに、制御部１１の制御により入力される音声信号に対し音声処理回路により音声処理を行って、その音声信号に応じた音をスピーカから出力させる。
【００２８】
通信部１６は、制御部１１の制御に応じて、自端末が在圏している通信エリアを形成する無線基地局と無線通信を行い、移動体通信網４を介して自端末以外の他の移動体端末１（以下、他端末という）と通信を行う。自端末と他端末とが行う通信とは、例えば音声による通信である「通話」や、文字による通信である「電子メール」、「ショートメッセージサービス（ＳＭＳ：Short Message Service）」または「チャット」等がある。
また、通信部１６は、移動体通信網４と、自端末が在圏している通信エリアを形成する無線基地局とを介して情報配信サーバ装置５から配信される各種情報の配信を受ける。この無線基地局は広域基地局２の場合と狭域基地局３の場合とがある。
【００２９】
１−３．情報配信サーバ装置の構成
図３は、情報配信サーバ装置５の構成を示すブロック図である。情報配信サーバ装置５は、制御部５１、記憶部５２、第１通信部５３、および第２通信部５４を有し、これらはバスを介して互いに接続されている。
【００３０】
制御部５１は、ＣＰＵ、ＲＯＭ（Read Only Memory）、ＲＡＭ（Random Access Memory）、およびタイマを有する。ＣＰＵは、ＲＯＭに記憶されている制御プログラムを読み出して、ＲＡＭにロードして実行することにより、情報配信サーバ装置５の各部について、バスを介して制御する。また、ＲＡＭは、ＣＰＵが各データの加工などを行う際のワークエリアとして機能する。タイマは、水晶振動子を有する発振回路を備えており、その発振回路から出力される発振信号に基づいて時間を計測し、現在時刻を算出する。算出された現在時刻を示す情報は、ＣＰＵにより利用される。
【００３１】
第１通信部５３は、移動体通信網４と通信するための通信手段である。また、第２通信部５４は、ネットワーク６と通信するための通信手段である。第１通信部５３および第２通信部５４は、例えば各種のモデムやＵＳＢ（Universal Serial Bus）規格に準拠したシリアルインタフェース等の通信インターフェイスなどである。
記憶部５２は、例えば、ＨＤＤ（Hard Disk Drive）などの大容量記憶手段であって、情報テーブル５２１および位置管理データベース５２２を記憶している。
【００３２】
次に記憶部５２に記憶される各種情報の構成を説明する。
１−４．情報テーブルの構成
図４は、情報テーブル５２１の一例を示す図である。情報テーブル５２１は、移動体端末１の識別情報である移動体端末ＩＤと、狭域基地局３の識別情報である狭域基地局ＩＤ、および移動体端末１に配信する情報である配信情報が対応付けられて書き込まれている。配信情報は、この配信情報に対応付けられている移動体端末ＩＤにより識別される移動体端末１が、この配信情報に対応付けられている狭域基地局ＩＤにより識別される狭域基地局３のフェムトセル内から離圏したときに、この移動体端末１に配信される。すなわち、情報テーブル５２１を記憶する記憶部５２は、配信情報を複数の無線基地局のいずれかに対応付けて記憶する記憶手段の一例である。
【００３３】
例えば、図４に示す情報テーブル５２１において、移動体端末ＩＤである「１００１」と狭域基地局ＩＤである「３００１」とが対応付けられており、これらに対応付けられている配信情報は「○×スーパーＡ地域店にて、お惣菜セール開催中！」という情報である。この配信情報は、移動体端末ＩＤが「１００１」の移動体端末１が、狭域基地局ＩＤが「３００１」の狭域基地局３のフェムトセルに在圏した後、他の通信エリアに移動したとき、すなわち、上記の狭域基地局３のフェムトセルから離圏したときに、上記の移動体端末１に配信される。制御部１１は、第２通信部５４を介して情報配信依頼端末７から情報配信依頼要求を受け取ると、この情報配信依頼要求に含まれる移動体端末ＩＤ、狭域基地局ＩＤ、および配信情報を１つの対応付けられたレコードとして情報テーブル５２１に追加する。
【００３４】
１−５．位置管理データベースの構成
図５は、位置管理データベース５２２の一例を示す図である。位置管理データベース５２２においては、無線基地局の識別情報である「基地局ＩＤ」と、その基地局ＩＤにより識別される無線基地局の通信エリアに在圏している移動体端末１の識別情報である「在圏端末ＩＤ」とが対応付けられて記述されている。例えば、図５に示す例において、基地局ＩＤが「２００１」の広域基地局２のマクロセルには、在圏端末ＩＤが「１００１」の移動体端末１が在圏していることがわかる。
【００３５】
１−６．制御部の機能
図６は、上述した情報配信サーバ装置の各構成に加えて、制御部５１の機能的構成を示すブロック図である。判定部５１１は、第１通信部５３を介して移動体端末１から送られてきた位置登録要求を受け付ける。そして、位置登録要求を受け付けた判定部５１１は、位置管理データベース５２２に記述された在圏端末ＩＤの中から、位置登録要求に含まれる自端末ＩＤを検索し、この自端末ＩＤを見つけた場合に、これに対応付けられている基地局ＩＤを特定する。ここで特定された基地局ＩＤは、すなわち自端末ＩＤで示される移動体端末１が過去に在圏していた通信エリアを形成する無線基地局の識別情報である。すなわち、この位置登録要求を受けたことから、位置登録要求を発した移動体端末１が離圏した通信エリアを形成する無線基地局の識別情報（以下、離圏基地局ＩＤという）が特定される。そして、判定部５１１は、特定した離圏基地局ＩＤが、狭域基地局ＩＤとして、情報テーブル５２１に記述されているか否か判定し、離圏基地局ＩＤが情報テーブル５２１に記述されていると判定した場合には、その離圏基地局ＩＤに対応付けられている配信情報を配信部５１３に引き渡す。また、判定部５１１は、特定した離圏基地局ＩＤと、受け付けた位置登録要求を登録部５１２に引き渡す。
【００３６】
登録部５１２は、記憶部５２の位置管理データベース５２２において、特定した離圏基地局ＩＤに対応付けられて記述されている自端末ＩＤを削除する。そして、登録部５１２は、記憶部５２の位置管理データベース５２２の中から、位置登録要求に含まれる在圏基地局ＩＤを検索し、基地局ＩＤとして上記の在圏基地局ＩＤが書き込まれたレコードを見つけると、このレコードの在圏端末ＩＤに、上記の位置登録要求に含まれる自端末ＩＤを上書きするか、または追加する。これにより、登録部５１２は、移動体端末１の位置を登録する。
【００３７】
配信部５１３は、配信情報を引き渡されると、第１通信部５３を介して上述した位置登録要求に含まれている在圏基地局ＩＤにより識別される無線基地局を特定する。そして、配信部５１３は、その無線基地局を介して上記の位置登録要求を発した移動体端末１に対し、上記の配信情報を配信する。
【００３８】
更新部５１４は、第２通信部５４を介して情報配信依頼端末７から配信情報を受け取ると、これを情報テーブル５２１に追加する。具体的には、更新部５１４は、情報配信依頼要求に含まれる“特定の移動体端末１の識別情報”および“特定の狭域基地局３の識別情報”を、それぞれ移動体端末ＩＤと狭域基地局ＩＤとして対応付けたレコードを情報テーブル５２１から見つけるか、見つからない場合には新たなレコードとして追加する。そして、更新部５１４は、このレコードの配信情報に、上述の情報配信依頼要求に含まれる配信情報を上書きするか、または追加する。
登録部５１２、判定部５１１、配信部５１３、および更新部５１４は、制御部５１がプログラムを実行することでにより実現される。すなわち、判定部５１１を実現する制御部５１は、移動体端末が無線基地局により形成される通信エリアから離圏したか否かを判定する判定手段の一例である。また、配信部５１３を実現する制御部５１は、判定手段により移動体端末が離圏したと判定されると、当該離圏後に当該移動体端末が在圏している通信エリアを形成する無線基地局を特定し、この無線基地局を介して、移動体端末が離圏した無線基地局に対応付けて記憶された離圏時配信情報を当該移動体端末に配信する配信手段の一例である。
【００３９】
２．動作
図７は、本実施形態の動作を示すシーケンス図である。同図の初期において、情報配信サーバ装置５の記憶部５２に記憶された情報テーブル５２１は、図４に示す状態となっているとする。また、位置管理データベース５２２は、図５に示す状態となっているとする。以下の説明において、移動体端末１ｂの自端末ＩＤが「１００２」であり、広域基地局２ｂの基地局ＩＤが「２００２」であり、狭域基地局３ｂの基地局ＩＤが「３００２」であるとする。この場合、図７における初期において、この移動体端末１ｂは、広域基地局２ｂのマクロセルに在圏している。
【００４０】
広域基地局２ｂは、自局の基地局ＩＤである「２００２」を表す信号を含んだ電波を周期的に発信する（ステップＳ１０１）。移動体端末１ｂの通信部１６は、無線基地局から発信されている電波を受け取り、この電波が一つである場合にはその電波を特定し、この電波が複数ある場合にはこれら複数の電波のうち最も強い電波を特定する。そして、通信部１６は、特定した電波から基地局ＩＤを取得する。この場合、移動体端末１ｂは、広域基地局２ｂのマクロセルに在圏しているので、移動体端末１ｂの通信部１６は、広域基地局２ｂが発信した電波を特定し、この電波から上述の信号を抽出して、これに含まれる基地局ＩＤ「２００２」を取得する。通信部１６は、取得した基地局ＩＤ「２００２」を移動体端末１ｂの制御部１１に送る。
【００４１】
移動体端末１ｂの制御部１１は、通信部１６から送られた基地局ＩＤ「２００２」と、在圏基地局ＩＤ記憶領域１２２に記憶されている在圏基地局ＩＤとを比較して両者が一致しているか否かを判定する（ステップＳ１０２）。このとき、在圏基地局ＩＤ記憶領域１２２には在圏基地局ＩＤとして「２００２」が記憶されているので、制御部１１は、上記の両者が一致していると判定する。この場合には、移動体端末１ｂは、記憶部１２の書き換えや位置登録要求の送信等を行わない。したがって、移動体端末１ｂの記憶部１２において、在圏基地局ＩＤ記憶領域１２２には在圏基地局ＩＤとして「２００２」が記憶されたままとなる。また、図５に示すように、情報配信サーバ装置５の記憶部５２において位置管理データベース５２２には、基地局ＩＤ「２００２」と在圏端末ＩＤ「１００２」とが対応付けて記述された状態となる。
【００４２】
その後、利用者が移動体端末１ｂを持って移動し、移動体端末１ｂは、狭域基地局３ｂのフェムトセル内に入ったと仮定する。狭域基地局３ｂは、広域基地局２ｂと同様に、自局の基地局ＩＤである「３００２」を表す信号を含んだ電波を周期的に発信しているので（ステップＳ２０１）、狭域基地局３ｂのフェムトセル内に入った移動体端末１ｂの通信部１６はこの電波を受信し、基地局ＩＤ「３００２」を取得して、制御部１１に送る。移動体端末１ｂの制御部１１は、この基地局ＩＤ「３００２」と、在圏基地局ＩＤ記憶領域１２２に記憶されている在圏基地局ＩＤとを比較して両者が一致しているか否かを判定する（ステップＳ２０２）。このとき、在圏基地局ＩＤ記憶領域１２２には在圏基地局ＩＤとして「２００２」が記憶されているので、制御部１１は、上記の両者が一致していないと判定する。そして、制御部１１は、位置情報信号から特定したこの基地局ＩＤ「３００２」を新たな在圏基地局ＩＤとして、在圏基地局ＩＤ記憶領域１２２に書き込む（ステップＳ２０３）。また、制御部１１は、情報配信サーバ装置５に対し、自端末ＩＤである「１００２」と、在圏基地局ＩＤである「３００２」とを含む位置登録要求を通信部１６から送信する。この位置登録要求は、狭域基地局３ｂおよび移動体通信網４を介して情報配信サーバ装置５に受信される（ステップＳ２０４）。
【００４３】
上述した位置登録要求を受信した情報配信サーバ装置５の制御部５１は、記憶部５２の位置管理データベース５２２に記述された在圏端末ＩＤの中から、位置登録要求に含まれる自端末ＩＤである「１００２」を検索し、これに対応して記述されている基地局ＩＤを特定する（ステップＳ２０５）。図５に示すように位置管理データベース５２２には、在圏端末ＩＤである「１００２」に、基地局ＩＤである「２００２」が記述されているので、制御部５１は、基地局ＩＤである「２００２」を特定する。この「２００２」は、上述した離圏基地局ＩＤである。そして、制御部５１は、位置登録要求に含まれる自端末ＩＤである「１００２」と、特定した離圏基地局ＩＤである「２００２」との組が、情報テーブル５２１に含まれているか否かを判定する（ステップＳ２０６）。情報テーブル５２１には狭域基地局ＩＤのみが記述されているので、広域基地局２ｂの識別情報である「２００２」は記述されていないから、制御部５１は、情報テーブル５２１に上記の組が含まれていないと判定する。そして、制御部５１は、位置管理データベース５２２に、移動体端末１ｂの位置を登録する（ステップＳ２０７）。
【００４４】
具体的には、制御部５１は、まず、記憶部５２の位置管理データベース５２２において、在圏端末ＩＤのフィールド中から、位置登録要求に含まれる自端末ＩＤ「１００２」を検索して削除する。この結果、図５にしめす位置管理データベース５２２において、基地局ＩＤである「２００２」と移動体端末ＩＤである「１００２」との対応関係は解消される。次に、制御部５１は、位置管理データベース５２２を検索して、上記の位置登録要求に含まれる在圏基地局ＩＤ「３００２」が基地局ＩＤとして書き込まれたレコードを見つける。そして、このレコードの在圏端末ＩＤに、上記の位置登録要求に含まれる自端末ＩＤ「１００２」を上書きするか、または追加する。
【００４５】
そしてさらにその後、移動体端末１ｂの利用者が移動体端末１ｂを持って移動し、移動体端末１ｂは、広域基地局２ｂのマクロセル内に入ったと仮定する。ここでは、上述したステップＳ２０２→Ｓ２０３→Ｓ２０４と同様に、ステップＳ３０２→Ｓ３０３→Ｓ３０４が行われる。したがって、ステップＳ３０２→Ｓ３０３→Ｓ３０４については、説明を省略する。ステップＳ３０４によって、移動体端末１ｂの制御部１１は、情報配信サーバ装置５に対し、自端末ＩＤである「１００２」と、在圏基地局ＩＤである「２００２」とを含む位置登録要求を送信する。この位置登録要求は、広域基地局２ｂおよび移動体通信網４を介して情報配信サーバ装置５に受信される。情報配信サーバ装置５の制御部５１は、記憶部５２の位置管理データベース５２２に記述された在圏端末ＩＤの中から、位置登録要求に含まれる自端末ＩＤである「１００２」を検索し、これに対応して記述されている基地局ＩＤを特定する（ステップＳ３０５）。上述したステップＳ２０７において、位置管理データベース５２２には移動体端末１ｂの位置が登録されたため、在圏端末ＩＤである「１００２」に、基地局ＩＤである「３００２」が対応付けて記述されている。したがって、制御部５１は、基地局ＩＤである「３００２」を離圏基地局ＩＤとして特定する。
【００４６】
そして、制御部５１は、位置登録要求に含まれる自端末ＩＤである「１００２」と、特定した離圏基地局ＩＤである「３００２」とを含む組が、情報テーブル５２１に含まれているか否かを判定する（ステップＳ３０６）。情報テーブル５２１には狭域基地局３ｂの狭域基地局ＩＤとして「３００２」が記述されており、これに対応付けて移動体端末ＩＤである「１００２」が記述されている。したがって、制御部５１は、記憶部５２により上記の自端末ＩＤと離圏基地局ＩＤとを含む組が記憶されていると判定する。
【００４７】
このように、上記の自端末ＩＤと離圏基地局ＩＤとを含む組が記憶部５２により記憶されていると判定すると、制御部５１は、上記の組に含まれた配信情報を情報テーブル５２１から抽出する（ステップＳ３０７）。そして、制御部５１は、位置登録要求を発信した移動体端末１ｂに向けて抽出した配信情報を配信する（ステップＳ３０８）。
例えば、図４に示す情報テーブル５２１において、自端末ＩＤである「１００２」と離圏基地局ＩＤである「３００２」とを含む組に含まれた配信情報は、「△□クリーニングＢ地域店にて、ワイシャツ１０％ＯＦＦ！」という内容であり、この配信情報は、移動体通信網４と、移動体端末１ｂのこの時点における在圏基地局である広域基地局２ｂとを介して移動体端末１ｂに配信される。配信されたこの配信情報は、移動体端末１ｂの通信部１６を介して制御部１１に受け取られ、制御部１１の制御の下、表示部１４の表示画面１４１に表示される（ステップＳ３０９）。
【００４８】
そして、制御部５１は、位置管理データベース５２２に、移動体端末１ｂの位置を登録する（ステップＳ３１０）。これにより、位置管理データベース５２２において、基地局ＩＤである「３００２」と移動体端末ＩＤである「１００２」との対応関係は解消され、基地局ＩＤ「２００２」に対応する在圏端末ＩＤとして移動体端末ＩＤである「１００２」が書き込まれる。
【００４９】
情報配信システム９に含まれる各構成が、以上の処理をそれぞれ行うことにより、予め定められた移動体端末１が、予め定められたフェムトセルから離圏したことを契機として、その移動体端末１に対して予め定められた配信情報が配信される。
【００５０】
３．変形例
以上が実施形態の説明であるが、この実施形態の内容は以下のように変形し得る。また、以下の変形例を組み合わせてもよい。
（１）変形例１
上述した実施形態において、情報テーブル５２１には、移動体端末ＩＤと、狭域基地局ＩＤと、配信情報との組が対応付けられて書き込まれていたが、情報テーブル５２１には、この配信情報（以下、離圏時配信情報ともいう）に加えて、この移動体端末ＩＤにより識別される移動体端末１が、この狭域基地局ＩＤにより識別される狭域基地局３のフェムトセルに在圏したときに、この移動体端末１に配信する配信情報（以下、在圏時配信情報という）が書き込まれていてもよい。この場合、制御部５１は、位置登録要求に含まれる自端末ＩＤと、位置登録要求に含まれる在圏基地局ＩＤとを含む組が、情報テーブル５１２に含まれているか否かを判定する。そして、この組が情報テーブル５２１に含まれていると判定したときに、制御部５１は、その組に含まれた配信情報を情報テーブル５２１から抽出し、位置登録要求を発信した移動体端末１に向けて抽出したこの配信情報を配信すればよい。
【００５１】
（２）変形例２
上述した実施形態において、情報配信依頼端末７が、移動体端末１の識別情報、狭域基地局３の識別情報、およびこれらに対応付けられた配信情報の組を情報配信依頼要求として情報配信サーバ装置５へ送信していたが、情報配信依頼要求を情報配信サーバ装置５へ送信する端末は、情報配信依頼端末７に限られない。例えば、移動体端末１や移動体通信網４に接続された通信端末等が、移動体通信網４を介して情報配信依頼要求を情報配信サーバ装置５へ送信してもよい。この場合、制御部１１は、第１通信部５３を介して移動体端末１等から情報配信依頼要求を受け取ると、この情報配信依頼要求に含まれる移動体端末ＩＤ、狭域基地局ＩＤ、および配信情報を１つの対応付けられたレコードとして情報テーブル５２１に追加すればよい。このように、移動体端末１から情報配信サーバ装置５に情報配信依頼要求を送信可能となっていることにより、例えば移動体端末１の利用者が、出かけるときに忘れずに所持すべき物のリストが書かれた備忘録を、自宅に備え付けた狭域基地局３と対応付けて情報配信サーバ装置５の情報テーブル５２１に記憶させておけば、移動体端末１がこの狭域基地局３が形成するフェムトセルから離圏したとき、すなわち移動体端末１が自宅近辺から離れたときに、移動体端末１は、上記の備忘録の配信を受ける。したがって、利用者は出かけるときに忘れ物が無いか確認することができる。
【００５２】
（３）変形例３
上述した実施形態において、位置登録要求に含まれる自端末ＩＤと離圏基地局ＩＤとを含む組が記憶部５２により記憶されていると判定すると、制御部５１は、その組に含まれた配信情報を情報テーブル５２１から抽出し、位置登録要求を発信した移動体端末１に向けて配信していたが、制御部５１が、移動体端末１に向けて、上記の配信情報を配信するタイミングは、これに限られない。例えば、制御部５１は、上記の位置登録要求を受け付けた時点や上記の判定をした時点等から一定の時間が経過したタイミングで配信情報を移動体端末１に向けて配信してもよい。具体的には、制御部５１は、位置登録要求を受け付けた時刻を示す受付時刻情報を、制御部５１のタイマにより取得して記憶部５２やＲＡＭに記憶する。そして、制御部５１がタイマから取得する現在時刻を示す現在時刻情報と、記憶した上記の受付時刻情報との差、すなわち経過時間を周期的に算出する。そして、記憶部５２に予め記憶されている閾値と、周期的に算出した上記の経過時間とを比較し、この経過時間が閾値を超えているときに、上記の配信情報を配信してもよい。
【００５３】
例えば、情報テーブル５２１において、或る在圏時配信情報が或る閾値と対応付けられていると仮定する。この場合、制御部５１は、位置登録要求を受け付けるとこの位置登録要求に含まれる自端末ＩＤと在圏基地局ＩＤとを含む組が、情報テーブル５１２に含まれているか否かを判定する。そして、この組が情報テーブル５２１に含まれていると判定したときに、制御部５１は、位置登録要求を受け付けてからの経過時間を周期的に閾値と比較し、経過時間が閾値を超えたときに、上記の組に含まれる配信情報を、位置登録要求を発した移動体端末１に配信する。
なお、経過時間が閾値を超えた時点で更に移動体端末１が別の通信エリアに移動している場合がある。この場合であっても、経過時間が閾値を超えたときに、制御部５１が位置管理データベースを参照して、そのタイミングにおいて上記の移動体端末１が在圏している通信エリアを形成する無線基地局を特定すればよい。
【００５４】
このように、制御部５１が位置登録要求を受け付けた時刻等から経過した時間が閾値を超えた時点で配信を行うことにより、例えば、移動体端末１がフェムトセルに入ったときまたは出た時点ですぐに配信する情報と、これらの時点から一定の時間が経過した時点に配信する情報とを区別することができる。具体的には、狭域基地局３を自宅に設置している利用者が、移動体端末１を持って自宅に帰宅したと仮定すると、帰宅直後には利用者は夕食を食べていないことが予想されるので、在圏時配信情報としてケータリングサービス等の広告を配信することが効果的である。一方、帰宅後１〜２時間が経過した時点では、利用者は夕食を済ませてくつろいでいることが予想される。そこで、帰宅後１〜２時間が経過した時点では、テレビ番組や通信対戦ゲーム等の広告を配信することが効果的である。このように、在圏・離圏の直後と、一定時間が経過した後では配信すべき情報も異なる場合があるから、上述したように、経過時間と閾値とを比較して配信情報を配信する時点を制御することにより、これらの情報を区別して、よりきめ細かい情報の配信を行うことができる。
【００５５】
なお、経過時間と比較する閾値は、情報テーブル５２１に１つだけ定められていてもよいし、情報テーブル５２１のレコードごとに定められていてもよい。また、この閾値は、情報テーブル５２１において、配信情報（在圏時配信情報、離圏時配信情報）ごとに定められていてもよい。また、情報テーブル５２１の各レコードには、複数の閾値とそのそれぞれに対応する配信情報が記述されていてもよい。また、配信情報について、閾値を設けるものと設けないものをそれぞれ登録してもよい。
【００５６】
上述した備忘録の配信は、利用者が忘れ物に気づいてすぐに自宅に引き返さなければならない場合もあるので、移動体端末１が自宅をカバーするフェムトセルからあまり離れていない時点で行われることが望ましい。また、この備忘録の配信は、移動体端末１がこのフェムトセルから離圏した可能性が少しでもある場合に行われてもよい。例えば、自宅の中で、狭域基地局３がベランダをカバーしていないといった場合には、ベランダに出るだけで備忘録が配信されることがある。この場合であっても、その後に外出するときに備えて、利用者は持ち物を確認することができる。
【００５７】
一方、自宅近辺の商店街やスーパーの広告が配信されるといった場合には、利用者は外出したからこそ、これらの広告を買い物の参考にすることができるのであるから、例えば上述したようにベランダに出る度にこれらの広告が配信されても利用者にとっては有用でないことが多い。したがって、これらの広告は利用者が確実に外出しているときに配信されることが望ましい。確実に外出しているときに配信を行うため、これらの広告のような離圏時配信情報には経過時間と比較する閾値を設定し、例えば上記のフェムトセルから離圏してから１０分が経過したことを判定したときに、この離圏時配信情報を配信することが望ましい。また、複数の配信情報がある場合には、それらの内容に応じて、１０分、１時間、２時間というように在圏時や離圏時から配信までの経過時間を定めた個別の閾値が設定されていてもよい。
【００５８】
（４）変形例４
上述した変形例２において、さらに、在圏時配信情報を配信するタイミングを規定する閾値は、離圏時配信情報を配信するタイミングを規定する閾値よりも長く設定されていてもよい。或る移動体端末１が、狭域基地局３の形成するフェムトセルに在圏したことを検知した後は、その移動体端末１は、しばらくの間そのフェムトセルに在圏し続けることが予想される。したがって、その移動体端末１へ配信する在圏時配信情報は特に緊急を要しない場合が多い。したがって、例えば、自宅に固定された通信端末によって閲覧されるウェブサイトや通信対戦ゲーム等の広告の場合、利用者の帰宅直後に知らせる必要はなく、自宅でくつろいでいる時間帯であれば、いつ配信してもよい。
【００５９】
一方、或る移動体端末１が、狭域基地局３の形成するフェムトセルから離圏したことを検知した後は、その移動体端末１は刻一刻とそのフェムトセルから離れていくことが予想される。したがって、そのフェムトセルの位置と密接に関係している離圏時配信情報を配信する場合には、その移動体端末１へ配信する離圏時配信情報は、緊急を要する場合が多い。例えば、外出時に持参するべき持ち物リストを利用者が移動体端末１等によって情報配信依頼要求をしていた場合には、この持ち物リストは移動体端末１が上記のフェムトセルから離圏したらすぐに配信すべきである。つまり、この変形例３の情報配信システム９によれば、離圏時と在圏時とで移動体端末１に配信すべきタイミングを的確に設定することができる。
【００６０】
（５）変形例５
上述した実施形態において、移動体端末１を一意に識別する自端末ＩＤが予め記憶部１２の自端末ＩＤ記憶領域１２１に格納されている場合について説明した。しかしながら、移動体端末１は、上記の自端末ＩＤを予め記憶しているＳＩＭ（Subscriber Identity Module）やＵＩＭ（User Identity Module）を着脱自在に装着可能であり、自端末に装着しているＵＩＭに記憶されている端末識別子を用いるとしても良いことは勿論である。
【００６１】
（６）変形例６
上述した実施形態において、自端末が在圏している通信エリアとは、自端末が受け取る電波のうち最も強い電波を発する無線基地局の通信エリアを意味していたが、通信が許可されている無線基地局のうち、最も強い電波を発する無線基地局の通信エリアを、自端末が在圏している通信エリアとしてもよい。
【００６２】
（７）変形例７
上述した実施形態において、情報テーブル５２１は、移動体端末ＩＤと、狭域基地局ＩＤ、および配信情報が対応付けられて書き込まれていたが、狭域基地局ＩＤと配信情報とが対応付けられて書き込まれていてもよい。すなわち、この場合、情報テーブル５２１には、移動体端末ＩＤは書き込まれておらず、狭域基地局ＩＤで識別される狭域基地局３により形成されるフェムトセルから離圏した全ての移動体端末１に対して、上記の配信情報が配信される。
【００６３】
例えば、不特定多数の人が集まるような百貨店、公園、スタジアム、ホール等では、回線のチャネル数を十分に確保するために狭域基地局３を設ける場合がある。このような狭域基地局３は、公衆利用されるものであって、特定の移動体端末１にだけ通信を行わせるものでないことが多い。したがって、このような狭域基地局３が形成するフェムトセルに在圏した移動体端末１や、このフェムトセルから離圏した移動体端末１に対して配信情報を配信する場合には、移動体端末ＩＤと狭域基地局ＩＤとの組ではなく、狭域基地局ＩＤにのみ、その配信情報が対応付けて書き込まれていればよい。
【００６４】
（８）変形例８
上述した実施形態において、位置管理データベース５２２には、無線基地局の基地局ＩＤごとに、その無線基地局に在圏している移動体端末１の識別情報である在圏端末ＩＤが記述されていたが、複数の無線基地局を有するグループに割り当てられた通信エリアごとに在圏端末ＩＤが記述されていてもよい。この場合、移動体端末１に対する通信や配信情報の配信は、情報配信サーバ装置５の制御部５１が、その移動体端末１の識別情報が在圏端末ＩＤとして記述されている通信エリアを特定し、この通信エリアに属する全ての無線基地局に対して移動体端末１を一括呼び出しすることによって行われる。
【００６５】
（９）変形例９
情報配信サーバ装置５へ送信される情報配信依頼要求に含まれる狭域基地局３の識別情報と、その情報配信依頼要求を送信する情報配信依頼端末７とは予め関連付けられていてもよい。すなわち、情報テーブル５２１において或る狭域基地局３に係るレコードを、情報配信依頼要求を送信することによって、情報配信サーバ装置５に書き換させることができる情報配信依頼端末７は限定されていてもよい。例えば、各情報配信依頼端末７は、関連する地域を示す地域コードが、情報配信サーバ装置５によって予め記憶されている。また、各狭域基地局３が形成するフェムトセルの地域を示す地域コードも情報配信サーバ装置５によって予め記憶されている。情報配信サーバ装置５は、情報配信依頼端末７から情報配信依頼要求を受け取ると、これに含まれる狭域基地局３の識別情報を抽出し、この狭域基地局３の地域コードを特定するとともに、受け取った情報配信依頼要求を送信した情報配信依頼端末７の地域コードを特定し、両者を照合する。例えば、この両者の距離が或る閾値（２ｋｍ等）を超える場合には処理を行わず、その距離がその閾値以内である場合に、上述の情報配信依頼要求に応じて情報テーブル５２１の上記の狭域基地局３に係るレコードを書き換えるようにしてもよい。これにより、或る地域の店舗に係る広告の配信を依頼する広告主にとっては、その店舗のある地域を示す地域コードを情報配信サーバ装置５に参照させることで、複数の狭域基地局３のうちから、その店舗に近い、すなわちその店舗からの距離が予め定めた閾値以内である狭域基地局３を選択して、広告を配信することができる。
【００６６】
（１０）変形例１０
自端末の制御部５１によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。なお、上記の制御部５１によって例示した制御手段としてはＣＰＵ以外にも種々の装置を適用することができ、例えば、専用のプロセッサなどを用いてもよい。
【符号の説明】
【００６７】
１（１ａ，１ｂ，１ｃ）…移動体端末、１１…制御部、１２…記憶部、１２１…自端末ＩＤ記憶領域、１２２…在圏基地局ＩＤ記憶領域、１３…操作部、１４…表示部、１４１…表示画面、１５…音声処理部、１６…通信部、２（２ａ，２ｂ，２ｃ）…広域基地局、３（３ａ，３ｂ，３ｃ）…狭域基地局、４…移動体通信網、５…情報配信サーバ装置、５１…制御部、５１１…判定部、５１２…登録部、５１３…配信部、５１４…更新部、５２…記憶部、５２１…情報テーブル、５２２…位置管理データベース、５３…第１通信部、５４…第２通信部、６…ネットワーク、７…情報配信依頼端末、９…情報配信システム
【図１】
2011216990.tif 000003
【図２】
2011216990.tif 000004
【図３】
2011216990.tif 000005
【図４】
2011216990.tif 000006
【図５】
2011216990.tif 000007
【図６】
2011216990.tif 000008
【図７】
2011216990.tif 000009